(57)【要約】【課題】活線状態においても光通信に影響を与えること無く、切替用光コネクタに係る接続切替等の作業を効率良く行うことができる。【解決手段】多心光ファイバを光コネクタ接続により光ファイバ心線へ分岐接続されるための光分岐モジュール６０であって、一端が多心光ファイバと接続され他端が光ファイバ心線と接続される光ファイバ７６の途中に介在された光カプラ７７を収納する本体７２を備え、本体７２の一端部には接続用光コネクタ６５が取り付けられ、本体７２の他端部からは、本体７２から離間した位置で切替用光コネクタ８５を介して加入者側の多心光ファイバと切り替え可能に接続される光ファイバ７６と、光スイッチから配線された引出しコードに対して切替用光コネクタ８６によって接続可能に成端されている光ファイバ７８とが、本体７２の他端面に開口するコード導出口８１、８２から本体７２の外側へ引き出されてなることを特徴とする。【選択図】　　　図７
2004004862.tif 000002
【特許請求の範囲】
【請求項１】
光ファイバケーブル（５３）をコネクタ接続を介して光ファイバ心線（５５）へ分岐接続する光配線架（５１）であって、
光ファイバケーブル（５３）から導出された光ファイバ（５４）を規定以上の湾曲半径を維持して収納する導出光ファイバ収納部（５７）と、
一端が光ファイバケーブル側の光ファイバと接続され他端が光ファイバ心線と接続される光ファイバ（７６）の途中に介在された光カプラ（７７）を収納する光分岐モジュール（６０）を、水平に配置された仕切板（５９）によって多段に仕切られた各段に横並びに多数配列させて収納するモジュール収納部（５６）と、
該モジュール収納部とは離間した位置に設けられ光ファイバ同士を切替可能に接続する切替用光コネクタ（８５）を複数集合して取り出し可能に保持するコネクタ保持手段（８７）とを具備してなり、
前記モジュール収納部の各段は、仕切板とその上側にて水平配置された内部仕切板（６１）との間に光分岐モジュールを収納するとともに、前記内部仕切板上に載置された光スイッチ（６２）を有しており、
さらに、収納されている各光分岐モジュールから引き出された光ファイバ（７８）を前記光スイッチから引き出された引出コード（８８）に対して接続可能に成端する切替用光コネクタ（８６）を前記引出コードと接続した状態で着脱自在にクランプ保持するコネクタホルダ（８９）が、前記内部仕切板の、該内部仕切板と前記仕切板との間に引き出し可能に収納されている前記光分岐モジュールが引き出される側である前面側の端部に取り付けられていることを特徴とする光配線架。
【請求項２】
多心光ファイバ（５４）を光コネクタ接続により光ファイバ心線（５５）へ分岐接続されるための光分岐モジュール（６０）であって、
一端が多心光ファイバと接続され他端が光ファイバ心線と接続される光ファイバ（７６）の途中に介在された光カプラ（７７）を収納する本体（７２）を備え、
本体の一端部には光ファイバと光ファイバ心線とを接続する接続用光コネクタ（６５）が取り付けられ、
本体の接続用光コネクタと対向する他端部からは、本体から離間した位置で切替用光コネクタ（８５）を介して加入者側の多心光ファイバと切り替え可能に接続される光ファイバと、光スイッチ（６２）から配線された引出しコード（８８）に対して切替用光コネクタ（８６）によって接続可能に成端されている光ファイバ（７８）とが、前記本体の他端面に開口するコード導出口（８１、８２）から前記本体の外側へ引き出されてなることを特徴とする光分岐モジュール。
【発明の詳細な説明】
【０００１】
【発明の属する技術分野】
本発明は、光ファイバケーブルをコネクタ接続を介して光ファイバ心線へ分岐接続する光配線架に関するものである。
【０００２】
【従来の技術】
従来から、複数心の光ファイバを個別的に収容し且つ内部に光カプラを有して、各段毎に並設させ且つ収容した光分岐モジュールと、各光分岐モジュール内の光カプラから分岐させた試験用分岐心線をマスター側光ファイバと選択的に光結合させるための光スイッチとを備えた光分岐モジュール収容架が知られている（例えば、特許文献１等参照。）。
【０００３】
【特許文献１】
特開平９−３３７３３号公報
【０００４】
また、光ファイバネットワークにおいて、例えば、光ファイバケーブルを光コネクタ接続を介して光ファイバ心線へ分岐接続するには、多数の局内外光ファイバを成端して大群構成とする光配線架が使用される。特に加入者系伝送路に用いられる光配線架としては、ＦＴＭ（Ｆｉｂｅｒ　Ｔｅｒｍｉｎａｔｉｏｎ　Ｍｏｄｕｌｅ）が用いられる。
図１０および図１１は、ＦＴＭに適用された従来の光配線架を示す図であり、図中、符号１はフレーム、２は端子板、３は光コネクタ、４は光分岐モジュールである。
【０００５】
前記フレーム１は、水平に配置された仕切板５によって等間隔の複数段に仕切られた棚状に形成されており、前記光分岐モジュール４を収納する段が複数段形成されている。このフレーム１の各段の同一側開口部には、該開口部を略覆う端子板２が固定されている。この端子板２には前記光アダプタ３の取り付け用の穴６が複数並べて連設され、この穴６内に周知のＳＣ形の光アダプタ３が２個づつ配置・固定されている。この光アダプタ３は、外側に局内光ファイバ７が接続される図示しないＳＣ形端子光コネクタプラグが複数配置され、内側に局外光ファイバが接続される図示しない複数のＳＣ形端子が前記局内光ファイバ７用の端子に対応する位置に配置されている。
【０００６】
以下、光分岐モジュール４の基本構成を図１４に示す。
図１４に示すように、光分岐モジュール４内には、光カプラ９、光フィルタ４ｄ、および光ファイバ４ｃを切り替え接続するための光コネクタ１０等の光部品が収納される。
光線路の試験・管理を行うには、まず、試験対象となる心線を収納する光分岐モジュールを光スイッチ４ａにて選択し、光パルス試験装置４ｂ（光パルス心線選択装置）から送出された試験光を、光カプラ９を経由して測定対象となる局外側の光ファイバ４ｃへ送出し、さらに、当該光ファイバ４ｃで発生する後方散乱光を光カプラ９を経由して光パルス試験装置４ｂの受光部で受光し、次いで、受光された後方散乱光の波形を解析することにより加入者光線路の損失異常をモニタする。
【０００７】
図１２、図１３に沿って、従来の４心用分岐モジュールについて説明すれば、この光分岐モジュールは、全体として薄板状の本体であり、図示しない開閉蓋により開閉可能である。
光分岐モジュール４の背面側（図１２、図１３左側）には、局外光ファイバケーブル（成端ケーブル）Ｋから導出された４心光ファイバテープ８ａと、心線選択装置から導出された１本の８心光ファイバテープ８ｂが導入される。
光分岐モジュール４内には、ファイバ形光カプラ９が収納されており、心線選択装置側の光ファイバテープ８ｂは、８心用の光コネクタ１０により、光カプラ９側の８心光ファイバテープに接続される。この光コネクタ１０としては、ＪＩＳ　Ｃ　５９８１等に制定される、いわゆるＭＴコネクタ（Ｍｅｃｈａｎｉｃａｌｌｙ　Ｔｒａｎｓｆｅｒａｂｌｅ）等の多心用のプラスチック製光コネクタが採用される。
【０００８】
次に、局外光ファイバケーブル（成端ケーブル）側の光ファイバテープ８ａは、４心用の光コネクタ１０により、光カプラ９側の光ファイバテープ（図示せず）に接続される。
一方、光カプラ９の局内側のポートから導出される１本の４心光ファイバテープは、光コード８ｗとして本体外部へ導出され、さらに、側板に固定された多心単心分岐器Ｆにて４本の単心光ファイバ８ｙへ分岐される。
分岐された各単心光ファイバ８ｙの先端は、ＳＣ形光プラグへ成端されており、フレーム１の端子板２に固定されたＳＣ形光アダプタ３へ接続される。
【０００９】
この光分岐モジュール４は、前記フレーム１の各段に、例えば１３．５ｍｍ幅で、一段に５０個程度設けられる。光分岐モジュール４の内部には、光コード８ｗと、該光コード８ｗに接続された光カプラ９と、光ファイバテープ８ａ、８ｂと光コード８ｗとを接続切り替え可能に光接続する光コネクタ１０とが収納されている。
光分岐モジュール４の収納時に上側となる側部には、フレーム１の各段の上部に架設された吊り下げレール１１から吊り下げるための吊り下げ部材１２が取り付けられている。
【００１０】
【発明が解決しようとする課題】
ところで、前記のようなＦＴＭの場合、部品点数が多い上、収容心線数の増大や実装密度の高度化の要求に鑑みて各段に十分な広さが確保されていないため、狭隘な空間において光アダプタ３等の光部品の取付作業を行なわねばならず、取り付け作業性に不満があった。また、特定の１個の光分岐モジュール４の交換においても、その光分岐モジュール４の近傍の光分岐モジュール４も取り外して作業者の手が入る程度の空間を確保する必要があり、収納心線数の増大や実装密度の高密度化に伴い作業に困難をきたすようになってきた。したがって、前記のようなＦＴＭでは、これ以上大幅（例えば２倍以上）に対応心数を増大することが困難であり、新しい形態のＦＴＭの開発が求められていた。
【００１１】
また、前記のような光分岐モジュール４では、心線の切り替えに際して光分岐モジュール４内に収納された光コネクタ１０を切り替えるために光ファイバ切替接続システムを使用する場合には、図１３に示すように、該当の光分岐モジュール４をフレーム１から引き出して棚に載置し、引き出した光分岐モジュール４内を開放して、内部から光コネクタ１０を引き出すが、光分岐モジュール４内の光コネクタ１０の引き出し時には、光コード８ｗに接続されている光カプラ９やフィルタ等（図示せず）の光部品まで一緒に引き出すこととなり、活線状態では光通信に影響を与えることなく作業を行うことが困難になっていた。加えて、ＦＴＭ１内に作業スペースを確保する必要が生じることも光分岐モジュール４の実装密度を高めることを困難にする原因になっていた。
因みに、光コネクタとは、ＪＩＳ　Ｃ　５９８１に制定されているような多心光コネクタである。
【００１２】
本発明は、前述の課題に鑑みてなされたもので、対応心数を増大することができるとともに、接続切り替え等の作業時に光通信に与える影響を可及的に軽減することができる光配線架および光分岐モジュールを提供することを目的とするものである。
【００１３】
【課題を解決するための手段】
請求項１記載の光配線架では、光ファイバケーブルをコネクタ接続を介して光ファイバ心線へ分岐接続する光配線架であって、光ファイバケーブルから導出された光ファイバを規定以上の湾曲半径を維持して収納する導出光ファイバ収納部と、一端が光ファイバケーブル側の光ファイバと接続され他端が光ファイバ心線と接続される光ファイバの途中に介在された光カプラを収納する光分岐モジュールを、水平に配置された仕切板によって多段に仕切られた各段に横並びに多数配列させて収納するモジュール収納部と、該モジュール収納部とは離間した位置に設けられ光ファイバ同士を切替可能に接続する切替用光コネクタを複数集合して取り出し可能に保持するコネクタ保持手段とを具備してなり、前記モジュール収納部の各段は、仕切板とその上側にて水平配置された内部仕切板との間に光分岐モジュールを収納するとともに、前記内部仕切板上に載置された光スイッチを有しており、さらに、収納されている各光分岐モジュールから引き出された光ファイバを前記光スイッチから引き出された引出コードに対して接続可能に成端する切替用光コネクタを前記引出コードと接続した状態で着脱自在にクランプ保持するコネクタホルダが、前記内部仕切板の、該内部仕切板と前記仕切板との間に引き出し可能に収納されている前記光分岐モジュールが引き出される側である前面側の端部に取り付けられていることを前記課題の解決手段とした。
【００１４】
請求項２記載の光分岐モジュールでは、多心光ファイバを光コネクタ接続により光ファイバ心線へ分岐接続されるための光分岐モジュールであって、一端が多心光ファイバと接続され他端が光ファイバ心線と接続される光ファイバの途中に介在された光カプラを収納する本体を備え、本体の一端部には光ファイバと光ファイバ心線とを接続する接続用光コネクタが取り付けられ、本体の接続用光コネクタと対向する他端部からは、本体から離間した位置で切替用光コネクタを介して加入者側の多心光ファイバと切り替え可能に接続される光ファイバと、光スイッチから配線された引出しコードに対して切替用光コネクタによって接続可能に成端されている光ファイバとが、前記本体の他端面に開口するコード導出口から前記本体の外側へ引き出されてなることを前記課題の解決手段とした。
【００１５】
以下、各請求項記載の発明の作用を説明する。
請求項１記載の発明によれば、モジュール収納部の各段において、仕切板と内部仕切板との間に収納される複数の光分岐モジュールから引き出されている光ファイバと、光スイッチ側の引出コードの接続部（切替用光コネクタによって接続した部分）を、コネクタホルダに集中的に保持できるため、接続切替等、コネクタホルダからの切替用光コネクタの取り出しを伴う作業を行う際には、作業対象の光ファイバの見付け出し等を簡単に行うことができ、光スイッチ側の引出コードと接続すべき光ファイバの本数が多い場合であっても、光分岐モジュール内の光ファイバや光カプラといった光部品に悪影響を及ぼすことを回避しつつ接続切替を行うことができる。
【００１６】
請求項２記載の発明によれば、本体の外側に引き出された光ファイバの一端を切替用光コネクタを介して加入者側の多心光ファイバと切り替え可能に接続するとともに、光スイッチ側の引出コードと光ファイバとの接続や接続切替を、光分岐モジュールから離れた所にて行える構造なので、切替用光コネクタに係る接続切替等の作業時に生じる接触や振動等の影響が、分岐モジュール外の余長に吸収され、本体内に収納した光ファイバや光カプラといった光部品に伝達しない。したがって、活線状態においても光通信に影響を与えること無く、切替用光コネクタに係る接続切替等の作業を効率良く行うことができる。
【００１７】
【発明の実施の形態】
以下、本発明の実施形態を図面に基づいて説明する。
まず、本発明に係る光配線架（以下「ＦＴＭ」と称する）の実施形態を説明する。
図１から図３は本実施形態のＦＴＭ５１の基本構成を示す。ＦＴＭ５１は箱形のフレーム５２を有し、図２は前面側を示し、図３は背面側を示す。前面側には光ファイバケーブル５３の端末と該光ファイバケーブル５３から導出された光ファイバが配線され、背面側には図示しない伝送装置の出力する光信号を伝送する単心線をコード化してなる単心光コード６７が収容されている。単心光コード６７は、ケーブル化されるか、あるいは単心光コードの集束体によりＦＴＭ５１まで導かれ、フレーム５２の背面側で各配線トレー９９に分散布線される。
なお、光ファイバ５４は、加入者側の多心光ファイバに相当する。また、単心光コード６７は、光ファイバ心線に相当する。
【００１８】
ＦＴＭ５１は左右に２分されており、一側がモジュール収納部５６、他側が光ケーブルから導出された光ファイバを収納する導出光ファイバ収納部５７となっている。導出光ファイバ収納部５７は、前面側と背面側が垂直仕切壁５８で仕切られており、前面側には主として立ち上げられた光ファイバケーブル５３および当該光ファイバケーブル５３の光ファイバテープ心線をコード化した光ファイバコード５４が引き回され、背面側に前記単心光コード６７が導入されるようになっている。
【００１９】
モジュール収納部５６は、フレーム１内に水平に配置された仕切板５９によって等間隔の複数段の棚状に仕切られており、図２に示すように、各段の仕切板５９の上に、多数の光分岐モジュール６０が横に並べて収納されている。また、仕切板５９の間は、図４に示すように、やはり水平に配置された内部仕切板６１によって上下に仕切られており、該内部仕切板６１の上に光スイッチ６２が載置されている。
【００２０】
図５に示すように、光分岐モジュール６０は、下側の仕切板５９と内部仕切板６１との間に立て姿勢で挿入されており、紙面手前側に引き出し可能となっている。仕切板５９の上面には、引き出し動作を案内し且つ並び方向の位置決めを行うためのガイドフランジ６３が立設されている。また、図６に示すように、各段の背面側には垂直な端子板６４が固定されている。図４および図６に示すように、端子板６４には、光分岐モジュール６０の一側部に突設された８連ＭＵアダプタ６５（マルチユニットアダプタ）が前面側から挿入される光アダプタ挿入穴６６が開口されている。光アダプタ挿入穴６６に挿入されたＭＵアダプタ６５には、単心光コード６７を成端するＳＣ形光プラグ６８が挿抜可能に差し込まれるようになっている。ＭＵアダプタ６５に接続された単心光コード６７は、光アダプタ挿入穴６６の下側で端子板６４から突設されたロッド状のファイバクランプ６９でクランプされて整列され、さらにファイバクランプ６９より下側に取り付けられた湾曲板７０によって規定以上の湾曲半径を維持しつつ湾曲されて、下段の仕切板５９の近傍に設置された受樋７１内に収容されている。
【００２１】
次に、本発明に係る光分岐モジュール６０の実施形態を図７を参照して説明する。
光分岐モジュール６０は、図７に示すように、プラスチック等の軽量な材質からなり全体として薄板状の本体７２を有し、図示しない開閉蓋により開閉可能とされている。光分岐モジュール６０の後端面（図７の右端）には、８連のＭＵアダプタ６５が２基直列（全部で１６個のアダプタ穴を構成する）に取り付けられており、同取付箇所の上下には、前記端子板６４の光アダプタ挿入穴６６の開口縁に係合する係合フック７３が設けられている。
８連ＭＵアダプタ６５は、位置決め用リングスリーブが内蔵された単心光ファイバ用のＳＣ形光アダプタを直列に８基連設してユニット化したものであり、請求項３記載の接続用光コネクタに相当する。この８連ＭＵアダプタ６５の本体７２内側には、本体７２内に収容した１６本の単心線７４がＳＣプラグ７５により挿抜可能に差し込まれている。これら単心線７４は、本体７２内に収納した光ファイバ７６（８心光ファイバテープ心線）の端部を、該光ファイバ７６の途中に介在した光カプラ７７を経由して単心分岐した部分である。
【００２２】
光カプラ７７は、１６チャンネルを有する波長無依存性の石英基板導波路型の光カプラであって、本体７２の内部に突設された図示しない把持片によって安定に把持されている。また、光カプラ７７と、光分岐モジュール６０外に設置された光スイッチ６２の間には、８心光ファイバテープ心線よりなる光線路７８が計４本接続されている。したがって、光スイッチ６２から光線路７８に伝送された試験光は、光カプラ７７を介して加入者側の光線路７６に送入され、局外の加入者線路の反射波が光カプラ７７と光線路７８を経由して光スイッチ６２に戻り、光線路監視装置にて損失がモニタされる。なお、光カプラ７７に接続される光線路７８の他端は光スイッチ６２側へ導かれて無反射処理される。
【００２３】
本体７２内に収納される光線路７４、７６、７８は、いずれも本体７２に内面側に突設された半径維持板７９や押さえ板８０によって規定以上の湾曲半径を維持して安定に収納される。また、光線路７６、７８は、いずれも光分岐モジュール６０の前端面で上下に離間した位置に開口するコード導出口８１、８２から引き出され、かつこれらコード導出口８１、８２に配置された引留具８３、８４によって引き留められている。
【００２４】
これら光線路７６、７８内の各先端は、それぞれ８心用の切替用光コネクタ８５、８６によって成端され、図１および図２に示すように、下側のコード導出口８１から引き出され、コード化され、光線路７６を成端する切替用光コネクタ８５は導出光ファイバ収納部５７に設置されたコネクタ収納ユニット（コネクタ保持手段）８７に保持され、図４に示すように、上側のコード導出口８２から引き出された光線路７８を成端する切替用光コネクタ８６は内部仕切板６１の前端部（図４左側）に取り付けられたコネクタホルダ８９に着脱自在にクランプ保持され、光分岐モジュール６０の直上の光スイッチ６２から引き出された引出コード８８と接続されるようになっている。
なお、切替用光コネクタ８５、８６としては、ＪＩＳ　Ｃ　５９８１等に制定される、いわゆるＭＴコネクタ（Ｍｅｃｈａｎｉｃａｌｌｙ　Ｔｒａｎｓｆｅｒａｂｌｅ）等の多心用のプラスチック製光コネクタが採用される。
【００２５】
なお、光ファイバコード５４、８８の端部は、いずれも切替用光コネクタ８５、８６と適合する切替用光コネクタ８５、８６によって成端され、容易に接続切替できるようになっている。
下側のコード導出口８１から引き出された光線路７６は、光分岐モジュール６０が収納されている段の下側の仕切板５９の前面側に設けられた受樋５９ａ内に収納されて導出光ファイバ収納部５７に引き出されるようになっている。
【００２６】
図１および図２に示すように、導出光ファイバ収納部５７の前面側（紙面表側）のモジュール収納部５６寄りには、複数のコネクタ収納ユニット８７が上下に多段に設置されている。また、図８に示すように、各コネクタ収納ユニット８７の両側には、該コネクタ収納ユニット８７内で接続される両側の光ファイバコードよりなる接続余長５４ａ、７６ａを収納する余長収納ケース９０（余長収納手段）が多連装されている。コネクタ収納ユニット８７は、両側面開放の箱形ケーシング９１に引出式のトレー９２を収納した構成であり、図９に示すように、トレー９２内には複数の切替用光コネクタ８５を配列させて収納する薄板状のコネクタケース９３が多数配列収納され、これらコネクタケース９３によって多数の切替用光コネクタ８５を整理して収納するようになっている。コネクタケース９３は、トレー９２に対して出し入れ自在であるとともに、開閉自在に形成され、内部に収納した切替用光コネクタ８５が容易に取り出せるようになっている。
【００２７】
余長収納ケース９０は、図８に示すように、長手方向一端に開口９４を有し薄く長い鞘形をなした空のケースであり、開口９４を上に向け、前方に斜めに傾いた姿勢で、ＦＴＭ５１の奥に向かって多連装されている。この余長収納ケース９０は、内部空間が光ファイバの余長収納空間となっており、内部空間の横幅Ｈが光ファイバ心線の最小湾曲径より若干大きく設定され、長さＬが接続に必要なだけの余長５４ａ、７６ａを垂らした状態で収納できる寸法に設定されている。
【００２８】
また、このＦＴＭ５１の導出光ファイバ収納部５７の前面側には、光ファイバケーブル５３を引き留めるためのケーブル把持部品９５と、光ファイバケーブル５３から導出した光ファイバコード５４を各段のコネクタ収納ユニット８７に振り分け配線するためのマンドレル型のコード振分部材９６と、ダクト９８とが設けられている。
また、図３に示すように、ＦＴＭ５１の導出光ファイバ収納部５７の背面側には、コード振り分け部材９６やコードサポート９７が設けられ、さらに、コード振り分け部材９６によって振り分けた単心光コード６７をモジュール収納部５６の各段の端面板６４に設けられた受樋７１に導く配線トレー９９が設置されている。単心光コード６７は、導出光ファイバ収納部５７の背面側の上部に設置した導入ユニット１００からＦＴＭ５１内部に導入され、その大部分はコードサポート９７等に支持されつつ導出光ファイバ収納部５７の下部を経由してからコード振り分け部材９６で振り分けられるように布線される。また、単心光コード６７の一部は、導入ユニット１００に突設された分岐樋１０１を介して直接適当な配線トレー９９に導入される。
【００２９】
以下、本実施形態のＦＴＭ５１および光分岐モジュール６０の作用および効果を説明する。
本実施形態では、切替用光コネクタ８５はコネクタ収納ユニット８７に集合、整理して収納されているので、目的の光ファイバコード５４、光線路７６の切替用光コネクタ８５を取り出すことが容易であり、接続切替等の作業能率が向上する。しかも、対象となる複数の切替用光コネクタ８５を互いに近い位置に引き出すことができるので、これらの切替用光コネクタ８５間で接続切替を行う場合に光ファイバ切替接続システムの適用が容易であり、接続切替の作業能率を一層向上させることが可能である。また、コネクタ収納ユニット８７における接続切替等の作業に使用する余長５４ａ、７６ａは余長収納ケース９０から引き出せば良いので、光分岐モジュール６０から余長７６ａを引き出す必要が無く、作業性が向上する。
【００３０】
したがって、本実施形態では、光分岐モジュール６０に触れることなく光ファイバコード５４、光線路７６同士を接続切替することができ、光分岐モジュール６０に収納した光カプラ７７等の光部品の収納状態が安定に維持されるので、活線状態においても光通信に影響を与えること無く作業を行うことができる。本実施形態では、光スイッチ６２の引出コード８８と光線路７８との接続切替についても、同様に光分岐モジュール６０に触れること無く作業を行うことができるので、光通信に影響を与える心配が無い。
【００３１】
また、光分岐モジュール６０に切替用光コネクタ８５、８６の収納スペースを確保する必要が無い上、光線路７６の余長７６ａの大部分を余長収納ケース９０に収納して光分岐モジュール６０への収納量が減少するので、光分岐モジュール６０を小型化してモジュール収納部５６での実装密度を向上することができる。また、余長５４ａ、７６ａを、コネクタ収納ユニット８７の両側近傍に垂らして余長収納ケース９０内に収納しているので、十分な長さの余長収納が可能であるとともに、切替用光コネクタ８５、８６の接続時や接続切替時等に必要な余長５４ａ、７６ａの収納や引き出しといった作業を効率良く行うことができる。また、ＦＴＭ５１では、接続切替等の作業スペースをモジュール収納部５６内に確保する必要が無いことも、光分岐モジュール６０の実装密度の向上に寄与する。その結果、ＦＴＭ５１は、ほとんど大型化することなく対応心数を増大することができる。具体的には、従来のＦＴＭが１０００心の光ファイバに対応するのに対して、本実施形態のＦＴＭ５１は４０００心の光ファイバに対応することができ、しかも接続切替等の作業性を向上することができる。
【００３２】
さらに、コネクタ収納ユニット８７と光分岐モジュール６０とが離間されているために、接続切替作業に伴う切替用光コネクタ８５の引出作業や余長７６ａの引出作業等によって生じる振動が、光分岐モジュール６０内の光線路７６、７８や光カプラ７７等の光部品に作用しないので、これら光部品を極めて安定に収納することができ、その結果、作業を効率良く行うことができるとともに、接続切替作業中における光通信の信頼性を極めて高いレベルに向上することができる。
【００３３】
なお、光分岐モジュール６０内に収納する光部品の内容は、前記実施形態に限定されない。
コネクタ保持手段の構成は前記コネクタ収納ユニット８７に限定されない。また、余長収納手段の構成は前記余長収納ケース９０に限定されず、コネクタ保持手段と一体的になっているものも含む。
【００３４】
【発明の効果】
以上説明したように、請求項１記載の光配線架によれば、モジュール収納部の各段において、仕切板と内部仕切板との間に収納される複数の光分岐モジュールから引き出されている光ファイバと、光スイッチ側の引出コードの接続部（切替用光コネクタによって接続した部分）を、コネクタホルダに集中的に保持できるため、接続切替等、コネクタホルダからの切替用光コネクタの取り出しを伴う作業を行う際には、作業対象の光ファイバの見付け出し等を簡単に行うことができ、光スイッチ側の引出コードと接続すべき光ファイバの本数が多い場合であっても、切替用光コネクタに係る接続切替等の作業時に生じる接触や振動等の影響が、分岐モジュール外の余長に吸収され、本体内に収納した光ファイバや光カプラといった光部品に伝達しない。したがって、活線状態においても光通信に影響を与えること無く、切替用光コネクタに係る接続切替等の作業を効率良く行うことができる。
【００３５】
請求項２記載の光分岐モジュールによれば、本体の外側に引き出された光ファイバの一端を切替用光コネクタを介して光ファイバケーブル側（加入者側）の多心光ファイバと切り替え可能に接続するするとともに、光スイッチ側の引出コードと光ファイバとの接続や接続切替を、光分岐モジュールから離れた所にて行える構造としたことにより、切替用光コネクタに係る接続切替等の作業に生じる振動等の影響が本体内に収納した光ファイバや光カプラといった光部品に作用しないので、活線状態においても切替用光コネクタに係る接続切替等の作業を光通信に影響を与えること無く効率良く行うことができる。また、切替用光コネクタの収納スペースを確保する必要が無いので、容易に小型化することができるといった優れた効果を奏する。
【図面の簡単な説明】
【図１】本発明の実施形態のＦＴＭを示す斜視図である。
【図２】図１のＦＴＭの前面側を示す正面図である。
【図３】図１のＦＴＭの背面図である。
【図４】図１のＦＴＭにおける光分岐モジュールの収納状態を示す拡大側面図である。
【図５】図１のＦＴＭにおける光分岐モジュールの収納状態を示す要部拡大斜視図である。
【図６】図３の要部拡大背面図である。
【図７】本発明の実施形態の光分岐モジュールを示す正断面図である。
【図８】本発明の実施形態を示す図であって、コネクタ収納ユニットおよび余長収納ケースを示す斜視図である。
【図９】図８のコネクタ収納ユニットのトレーおよびコネクタケースを示す斜視図である。
【図１０】光配線架を示す側面図である。
【図１１】光配線架を示す正面図である。
【図１２】従来の光分岐モジュールを示す側面図である。
【図１３】従来の光分岐モジュールを示す図であって、光コネクタでの接続切り替えを示す側面図である。
【図１４】光分岐モジュールの基本構成を示す略図である。
【符号の説明】
５１…光配線架（ＦＴＭ）、５３…光ファイバケーブル、５４…光ファイバ（光ファイバコード）、５４ａ…余長、５５…光ファイバ心線（単心光コード）、５６…モジュール収納部、５７…導出光ファイバ収納部、５９…仕切板、６０…光分岐モジュール、６２…光スイッチ、６５…接続用光コネクタ（ＳＣ形光アダプタ、ＭＵアダプタ）、７２…本体、７６…光ファイバ（光ファイバテープ心線）、７６ａ…余長、７７…光カプラ、７８…光ファイバ（光ファイバテープ心線）、８５…切替用光コネクタ、８７…コネクタ保持手段（コネクタ収納ユニット）、９０…余長収納手段（余長収納ケース）。
【図１】
2004004862.tif 000003
【図２】
2004004862.tif 000004
【図３】
2004004862.tif 000005
【図４】
2004004862.tif 000006
【図５】
2004004862.tif 000007
【図６】
2004004862.tif 000008
【図７】
2004004862.tif 000009
【図８】
2004004862.tif 000010
【図９】
2004004862.tif 000011
【図１０】
2004004862.tif 000012
【図１１】
2004004862.tif 000013
【図１２】
2004004862.tif 000014
【図１３】
2004004862.tif 000015
【図１４】
2004004862.tif 000016